(57)【特許請求の範囲】
【請求項１】
祭壇の仕切り部材の背後に配置され、遺影が空中に浮遊しているように遺影写真を上記仕切り部材の前方にて飾ることのできる遺影写真スタンドであって、
上記仕切り部材背後に載置されるベースと、
該ベースに上方に延びて取付けられた支柱と、
該支柱の上部に片持ち支持され、上記仕切り部材の前方に延びる横アームと、
該横アームの先端に取付けられ、遺影写真の額縁を該額縁が上記横アームを隠すように受ける額受と、
上記支柱の上部には上向きに傾斜して片持ち支持され、その先端部分が上記横アームの先端部分を下側から受けて支持するサポートアームと、
を備えたことを特徴とする遺影写真スタンド。
【請求項２】
上記支柱及び横アームの少なくとも一方が伸縮可能に構成されている請求項１記載の遺影写真スタンド。
【請求項３】
上記額受が水平軸廻りの角度を調整可能に構成されている請求項１記載の遺影写真スタンド。
【請求項４】
上記ベースはキャスターによって移動可能に設けられている請求項１記載の遺影写真スタンド。
【請求項５】
上記支柱のベースに固定される部分と上記支柱の横アームが取付けられる部分には各々滑車が取付けられ、該一対の滑車の間にロープが掛け渡され、該ロープの先端が巻上げウィンチのドラムに巻回されており、上記巻上げウィンチを操作することによって上記支柱が伸縮されるようになっている請求項２記載の遺影写真スタンド。
【発明の詳細な説明】
【技術分野】
【０００１】
本発明は遺影写真スタンドに関し、特に遺影が空中に浮遊しているように遺影写真を飾ることのできるようにしたスタンドに関する。
【背景技術】
【０００２】
葬儀は仏式、神式、自由葬など多種多様であるが、いずれの葬儀であっても祭壇に故人の遺影写真を飾ることが行われる。遺影写真を飾る場合、祭壇の棚に載置するようにした写真台（特許文献１）、壁面から吊り下げるようにした額縁（特許文献２）、支柱に受け台を取付けて写真を載せるようにした写真立て（特許文献３）、などが知られている。
【０００３】
【特許文献１】実用新案登録第３０６４９９０号公報
【特許文献２】特開２００３−２３０４６８号公報
【特許文献３】特開２００１−１１３８９３号公報
【発明の開示】
【発明が解決しようとする課題】
【０００４】
しかし、特許文献１記載の写真台では祭壇の棚に単に載せているだけであり、又特許文献２，３記載の額縁や写真立てでは吊り下げたり支柱で受けていることが見えてしまい、いずれにしても葬儀の荘厳さという点で改善が求められていた。
【０００５】
本発明は、かかる問題点に鑑み、遺影が空中に浮遊しているように見えるように遺影写真を飾ることができ、葬儀の荘厳な雰囲気を保つことができるようにした遺影写真スタンドを提供することを課題とする。
【課題を解決するための手段】
【０００６】
そこで、本発明に係る遺影写真スタンドは、祭壇の仕切り部材の背後に配置され、遺影が空中に浮遊しているように遺影写真を上記仕切り部材の前方にて飾ることのできる遺影写真スタンドであって、上記仕切り部材背後に載置されるベースと、該ベースに上方に延びて取付けられた支柱と、該支柱の上部に片持ち支持され、上記仕切り部材の前方に延びる横アームと、該横アームの先端に取付けられ、遺影写真の額縁を該額縁が上記横アームを隠すように受ける額受と、を備えたことを特徴とする。
【０００７】
本発明の１つの特徴は、葬儀の祭壇を構成する仕切り部材、例えば衝立や幕の背後にベースを配置し、ベースに立てた支柱から横アームを前方に延ばし、仕切り部材の前方にて遺影写真の額縁を額受で受け、横アームを額縁によって隠すようにした点にある。
【０００８】
これにより、葬儀の参列者には遺影が空中に浮いているように見え、葬儀の荘厳な雰囲気を保つことができ、葬儀についての遺族の満足度を向上させることができる。
【０００９】
支柱及び横アームは一定の長さにしてもよいが、その場合には祭壇の寸法や仕切り部材の位置など、葬儀の状況に合わせて細かく移動させる必要が生ずる。そこで、支柱及び横アームの両方又は一方を伸縮可能に構成するのがよい。例えば、ベース支柱とスライド支柱の組合せ、ベースアームとスライドアームの組合せによって支柱や横アームを伸縮自在に構成することができる。
【００１０】
額掛は横アームの先端に固定してもよいが、葬儀の状況によっては額縁を斜め上向きにあるいは斜め下向きにしたいことがある。そこで、額受は水平軸廻りの角度を調整可能に構成するのがよい。
【００１１】
横アームは支柱の上部に片持ち支持されているので、額縁が重いときには横アームに荷重が加わって折れ曲がってしまうおそれがある。そこで、支柱の上部にはサポートアームを上向きに傾斜して片持ち支持し、サポートアームの先端部分によって横アームの先端部分を下側から受けて支持するように構成するのがよい。
【００１２】
ベースは床面上に載置してもよいが、祭壇の寸法や仕切り部材の位置など、葬儀の状況に合わせて移動させる場合に持ち運ぶのは煩わしい。そこで、ベースをキャスターによって移動可能に設けるのがよい。
【００１３】
支柱のベースに固定される部分と横アームが取付けられる部分には各々滑車を取付け、一対の滑車の間にロープを掛け渡し、ロープの先端を巻上げウィンチのドラムに巻回し、巻上げウィンチを操作することによって支柱を伸縮させるように構成するのがよい。
【発明を実施するための最良の形態】
【００１４】
以下、本発明を図面に示す具体例に基づいて詳細に説明する。図１ないし図５は本発明に係る遺影写真スタンドの好ましい実施形態を示し、これは花祭壇に適用した例である。図において、遺影写真スタンド１０はベース１１、支柱１２、横アーム１３及び額受１４から構成されている。
【００１５】
ベース１１は例えばアルミニウム系材料を用いて四角形のフレーム状に製作され、ベース１１の前後左右の両側部分の間には各々２本の補強部材１１Ａ、１１Ｂが相互に間隔をあけて前後方向又は幅方向に延びて固定され、ベース１１の４隅にはブレーキ付きのキャスター１１Ｃが取付けられてベース１１は任意の方向に走行可能にかつ任意の位置に固定可能に構成されている。
【００１６】
ベース１１の補強部材１１Ａには支柱１２が立てて取付けられている。この支柱１２は左右の本体支柱１２Ａの前側に２本のスライド支柱１２Ｂを配置して構成され、本体支柱１２Ａはベース１１の補強部材１１Ａに固定され、スライド支柱１２Ｂは上下のスライドローラ１２Ｃ、１２Ｄによって本体支柱１２Ａに対してスライド可能になっている。
【００１７】
スライド支柱１２Ｂの下端部には下側滑車１６Ａが取付けられ、本体支柱１２Ａの上端部には上側滑車１６Ｂが取付けられ、上側滑車１６Ｂにはステンレス製ワイヤー１６Ｃの一端が固定され、該ワイヤー１６Ｃは下方の延びて下側滑車１６Ａに掛けられた後上方に延び、上側滑車１６Ｂに掛けられた後ガイドローラ１６Ｅを経て下方に延び、巻上げウィンチ１７のドラム１７Ａに巻き取られている。
【００１８】
また、スライド支柱１２Ｂの上端部には横アーム１３が片持ち支持されている。この横アーム１３は筒状のベース１３Ａにスライドアーム１３Ｂをスライド自在に差し込んで構成され、スライドアーム１３Ｂの先端部にはＬ型アングル１４Ｂ、パネル１４Ｃ及びブラケット１４Ｄからなる額受１４がねじ１４Ａによって締付け可能に取付けられている。
【００１９】
また、支柱１２のスライド支柱１２Ｂの上端部にはサポートアーム１７が斜め上方に向かうように片持ち支持され、サポートアーム１７の先端部は横アーム１３の先端部分を下側から受けて支持するようになっている。
【００２０】
例えば、ベース１１は縦Ｌ＝１０００ｍｍ、横Ｗ＝１１５０ｍｍで、支柱１２は高さＨ＝１６００ｍｍ、横アーム１３は長さ５５０ｍｍに設定されている。
【００２１】
本例の遺影写真スタンドを用いて遺影写真３０を飾る場合、遺影写真スタンド１０を衝立（仕切り部材）２１の背後に設置し、巻上げウインチ１７を操作して支柱１２を伸縮させるとともに、横アーム１３を押し引きし、支柱１２の高さと横アーム１３の長さを調整し、額受１４が衝立２１の前方に突き出させ、額受１４の角度を調整し、額受１４のＬ型アングル１４Ｂに遺影写真の額縁３０を載せ、パネル１４Ｃに立てかける。
【００２２】
すると、遺影写真はあたかも空中を浮遊しているように見える一方、横アーム１３は遺影写真の額縁３０の背後に隠れて葬儀の参列者から見えず、葬儀の荘厳な雰囲気を壊すことがない。
【００２３】
また、ベース１１を十分な寸法に設定しているので、額縁３０が相当大きく、重い場合にも安全かつ確実に飾ることができる。
【図面の簡単な説明】
【００２４】
【図１】本発明に係る遺影写真スタンドの好ましい実施形態を用いて飾った遺影写真の例を示す図である。
【図２】上記遺影写真の拡大図である。
【図３】上記実施形態を示す概略斜視図である。
【図４】上記実施形態を示す正面図である。
【図５】上記実施形態を示す側面図である。
【符号の説明】
【００２５】
１０            遺影写真スタンド
１１            ベース
１１Ｃ          キャスター
１２            支柱
１２Ａ          本体支柱
１２Ｂ          スライド支柱
１３            横アーム
１３Ａ          ベース
１３Ｂ          スライドアーム                                                  １４            額受
２１            衝立（仕切り部材）
３０            額縁
【図１】
0005197165.tif 000002
【図２】
0005197165.tif 000003
【図３】
0005197165.tif 000004
【図４】
0005197165.tif 000005
【図５】
0005197165.tif 000006